(57)【要約】      （修正有）【課題】メモリデバイスの記録容量に関係なく電子機器でデータの生成を行い記録することが可能な電子機器システム及びメモリデバイスを提供する。【解決手段】デジタルカメラ１には着脱可能なメモリーカード２１が接続可能であり、デジタルカメラ１により撮影が行われると、このメモリーカード２１が有するメモリへ保存することが可能である。またメモリカード２１は無線通信部により無線通信デバイス３１と通信することも可能である。この外部の無線通信デバイス３１は大容量の記録デバイス（例えばハードディスク）３２と、メモリカード２１の無線通信部と通信可能な無線通信部とを有しており、デジタルカメラ２１から送信されるデータを前述の大容量の記録デバイスに蓄積することが可能である。【選択図】図３
2004357182.tif 000002
【特許請求の範囲】
【請求項１】
電子機器と前記電子機器に着脱可能に接続されるメモリデバイスとを有する電子機器システムにおいて、
前記電子機器は
データを生成する手段と、
前記メモリデバイスと接続される第１の接続部と、
前記第１の接続部を介して前記メモリデバイスへ前記データを送信する送信手段と、を有し、
前記メモリデバイスは
前記第１の接続部と電気的に接続される第２の接続部と、
前記第２の接続部を介して受信した前記データを無線送信する無線送信手段と、
を具備することを特徴とする電子機器システム。
【請求項２】
前記データは音声データまたは画像データのいずれかであることを特徴とする請求項１に記載の電子機器システム。
【請求項３】
前記メモリデバイスは、前記第２の接続部を介して受信した前記データを記録する記録媒体をさらに具備することを特徴とする請求項１または２に記載の電子機器システム。
【請求項４】
前記電子機器は、前記データを前記記録媒体へ記録する指示を出す指示手段を具備し、前記メモリデバイスは前記記録媒体の残り記録容量を検出する第１の検出手段を具備し、
前記指示手段により前記データを前記記録媒体へ記録する指示が行われた場合、前記メモリデバイスは、前記第１の検出手段により前記記録媒体の残り記録容量を検出し、前記記憶媒体の残り記録容量が前記データの量より少ない場合、前記データを前記無線送信手段へ送ることを特徴とする請求項３に記載の電子機器システム。
【請求項５】
前記電子機器は、前記第２の接続部を介して受信した前記データを前記無線送信手段へ送信する指示を出す指示手段を具備し、前記メモリデバイスは前記無線送信手段で無線送信する相手機器を検出する第２の検出手段をさらに具備し、
前記指示手段に前記データを前記無線送信手段へ送信する指示が出された場合、前記第２の検出手段により前記相手機器の検出を行い、前記無線送信手段を介して前記データを前記相手機器へ送信することを特徴とする請求項３に記載の電子機器。
【請求項６】
前記第２の検出手段により前記相手機器が検出されなかった場合、前記データを前記記録媒体に記録することを特徴とする請求項５に記載の電子機器。
【請求項７】
前記メモリデバイスは、前記記録媒体の残り記録容量を検出する第１の検出手段をさらに具備し、前記記憶媒体の残り記録容量が前記データの量より少ない場合、前記データを前記無線送信手段へ送信することを特徴とする請求項３に記載の電子機器システム。
【請求項８】
前記メモリデバイスは前記無線送信手段で無線送信する相手機器を検出する第２の検出手段をさらに具備し、
前記第２の検出手段により前記相手機器が検出された場合、前記無線送信手段を介して前記データを前記相手機器へ送信することを特徴とする請求項３に記載の電子機器。
【請求項９】
前記第２の検出手段により前記相手機器が検出されなかった場合、前記データを前記記録媒体に記録することを特徴とする請求項８に記載の電子機器。
【請求項１０】
前記電子機器は表示部を具備し、
前記データが生成された場合に、前記データを前記記録媒体へ記録する指示が可能な指示部を前記表示部に表示し、
前記指示部により前記記録媒体へ前記データを記録する指示が行われた場合、前記メモリデバイスは、前記記録媒体に前記データを記録することを特徴とする請求項３に記載の電子機器システム。
【請求項１１】
前記メモリデバイスは、さらに前記記録媒体の残り記録容量を検出する第１の検出手段を具備し、
前記指示部により前記記録媒体へ前記データの送信指示が行われた場合、前記第１の検出手段により前記記録媒体の残り記録容量を検出し、前記記憶媒体の残り記録容量が前記データの量より少ない場合、前記データを前記無線送信手段へ送ることを特徴とする請求項１０に記載の電子機器システム。
【請求項１２】
前記電子機器は表示部を具備し、前記メモリデバイスは、前記無線送信手段で無線送信する相手機器を検出する第２の検出手段をさらに具備し
前記データが生成された場合に、前記無線通信部へ送信する指示が可能な指示部を前記表示部に表示し、
前記指示手段により前記データを前記無線送信手段へ送信する指示が出された場合、前記第２の検出手段により前記相手機器の検出を行い、前記無線送信手段を介して前記データを前記相手機器へ送信することを特徴とする請求項３に記載の電子機器。
【請求項１３】
前記電子機器は電力供給する電源を有し、前記メモリデバイスは前記第２の接続部を介して前記電源からの電源が供給されることを特徴とする請求項４、５、７、８、１０、１２いずれかに記載の電子機器システム。
【請求項１４】
前記電子機器は電源を有し、前記メモリデバイスは前記第２の接続部を介して前記電源からの電源が供給されており、前記指示手段により前記データを前記無線通信部へ送信する指示が出された場合に、前記無線通信部へ電源供給を行うことを特徴とする請求項５、１２いずれかに記載の電子機器システム。
【請求項１５】
外部機器と電気的に接続される接続部と、
前記接続部を介して前記外部機器から送られるデータを無線送信する無線送信手段と、
前記接続部を介して前記外部機器から送られるデータを記録する半導体メモリと、
前記無線送信手段などを制御する制御プログラムを記録する記憶部と、
を具備することを特徴とするメモリデバイス。
【請求項１６】
外部機器と電気的に接続される接続部と、
前記接続部を介して前記外部機器から受け取った第１のデータを無線通信可能な無線機器との間で送受信する無線通信手段と、
前記第１のデータまたは、前記無線機器から送られてきた第２のデータを記録する半導体メモリと、
前記無線送信手段などを制御する制御プログラムを記録する記憶部と、
を具備することを特徴とするメモリデバイス。
【請求項１７】
前記メモリデバイスは前記メモリデバイス内の電源供給を行う電源を有することを特徴とする請求項１５または１６に記載のメモリデバイス。
【請求項１８】
前記メモリデバイスは、電気接続ケーブルを接続可能な第２の接続部を有することを特徴とする請求項１５または１６に記載のメモリデバイス。
【発明の詳細な説明】
【０００１】
【発明の属する技術分野】
本発明は、小型のメモリデバイスを着脱可能に接続する電子機器システム及びメモリデバイスに関する。
【０００２】
【従来の技術】
近年様々なメモリデバイスが規格化され、製造販売されている。特に持ち運びが容易な小型のメモリデバイスは、デジタルカメラや、音楽再生プレーヤーの外部メモリデバイスとして利用されたり、パソコンなどの電子機器との間のデータ授受の手段として使用される形態も増えている。特にデジタルカメラに用いられる場合、年々、デジタルカメラの撮像素子の高解像化や動画撮影機能の搭載が進んでいるため、撮影データのデータ量も増大する傾向にある。
【０００３】
しかし、このようなメモリデバイスは記録容量に対するコストが高く、外形サイズも限られているため大きな記録容量をもつメモリデバイスは普及が遅れている。このため、このような小型メモリデバイスを記録媒体として用いるデジタルカメラでは撮影する枚数が限られることになる。
【０００４】
このような不都合を解消するためデジタルカメラにおいて、デジタルカメラにメモリデバイスが装着されていない場合、あるいは容量が不足している場合に自動的にデジタルカメラが有する無線通信手段を介して画像データを外部のデータベースへ送信する技術（特許文献１）が知られている。
【０００５】
【特許文献１】
特開２００２−１７１４３４公報
【０００６】
【発明が解決しようとする課題】
しかし、上述したように、小型のメモリデバイスは記録容量が小さく、また、記録容量に対するコストが一般のメモリに対して高いため普及が進んでいるとはいえない状況である。
【０００７】
よって、デジタルカメラで撮像したデータなどを上述のメモリデバイスに記録する場合、近年の撮影データ量の増大により、記録に必要とされる記録容量は増加している。このため、小型メモリデバイスの記録容量では撮影枚数が限られるという問題があった。
【０００８】
また特許文献１に記載の技術では、デジタルカメラ自体に無線通信部を設けるため、デジタルカメラ自体のコストアップに繋がるという問題がある。
【０００９】
上記課題を解決するために、本発明は、メモリデバイスの記録容量に関係なく電子機器でデータの生成を行い記録することが可能な電子機器システム及びメモリデバイスを提供することを目的とする。
【００１０】
【課題を解決するための手段】
上記目的を達成するために、請求項１に係る発明では、電子機器と電子機器に着脱可能に接続されるメモリデバイスとを有する電子機器システムにおいて、電子機器はデータを生成する手段と、メモリデバイスと接続される第１の接続部と、第１の接続部を介してメモリデバイスへデータを送信する送信手段と、を有し、メモリデバイスは第１の接続部と電気的に接続される第２の接続部と、第２の接続部を介して受信したデータを記録する記録媒体と、第２の接続部を介して受信したデータを無線送信する無線送信手段と、を具備することを特徴とする。
【００１１】
このような構成により、メモリデバイスの記録容量に関係なく電子機器でデータの生成を行い記録することが可能な電子機器システムを提供することが可能である。
【００１２】
【発明の実施の形態】
以下本発明に係る実施形態を、図面を参照して説明する。
【００１３】
図１に、第１の実施形態に係る電子機器のハードウェア構成図を示す。
【００１４】
第１の実施形態では、電子機器の例としてデジタルカメラを例に説明する。
【００１５】
図１に示すようにデジタルカメラ１は、被写体の光学像を取り込む撮像レンズ２を有する。この撮像レンズ２を介して入力された光学像は、ＣＣＤ（Ｃｈａｒｇｅ  Ｃｏｕｐｌｅｄ  Ｄｅｖｉｃｅ）３に結像されて光電変換される。
【００１６】
そしてＣＣＤ３から出力されるアナログの信号はＡ／Ｄ（Ａｎａｌｏｇ  ｔｏ  Ｄｉｇｉｔａｌ）変換回路４に供給されてデジタル画像データ（以後、画像データと称す）に変換された後ＣＣＤ信号処理回路５に供給される。
【００１７】
このＣＣＤ信号処理回路５は、入力された画像データに所定の信号処理を施すことにより、該画像データを輝度信号成分と、色差信号成分とに変換する。
【００１８】
ＣＣＤ信号処理回路５から得られる輝度信号成分および色差信号成分のデジタル画像データは、メモリコントローラ６を介してバッファメモリ７に書き込まれる。
【００１９】
上記ＣＣＤ信号処理回路５から出力される画像データは、メモリコントローラ６を介して画像圧縮伸張処理回路８へ供給され、所定の圧縮処理を施すことも可能である。
【００２０】
画像圧縮伸張処理回路８により圧縮伸張処理が施された画像データは、メモリコントローラ６を介してバッファメモリ７に一旦記録される。その後、バッファメモリ７から読み出された画像データは、メモリコントローラ６及びＣＰＵ９を介してメモリカードスロット１０に導かれ、メモリカードスロット１０に接続されたメモリカード２１のメモリ２２に記録される。このメモリ２２には例えば半導体メモリなどが用いられる。
【００２１】
上記のような一連の処理動作は、レリーズスイッチを含む操作部１１からの操作情報を受けて動作するＣＰＵ９によって統括的に制御される。
【００２２】
また、デジタルカメラ１には表示部１２が設けられており、バッファメモリ７に保存されている画像データやメモリカード２１のメモリ２２に記録されている画像データを表示することが可能である。なおデジタルカメラ１は図示しないバッテリを有し、バッテリからの電源供給により動作される。
【００２３】
上述のように制御されるデジタルカメラ１において、図２に第１の実施形態に係るメモリーカードのハードウェア構成図を示す。
【００２４】
メモリカード２１はメモリカードスロット１０と電気的に接続されるインターフェース２３と、インターフェースを介して受け取った画像データを格納するメモリ２２、メモリカード２１内の各モジュールの制御を司る制御部２４と、メモリカード２１の制御ファームウェア等が保存されているＲＯＭ２５と、インターフェース２３を介して入力された画像データを一時的に格納したり、ＲＯＭ２５から読み出された制御ファームウェアなどを一時格納するＲＡＭ２６と、外部の無線通信デバイスと無線通信を行う際の変復調処理などを行う無線通信部２７とを有している。
【００２５】
このメモリカード２１は、デジタルカメラ１からの電源供給により動作される。
【００２６】
ＲＯＭ２５には、このメモリカードの動作制御を行うファームウェアが記録されており、このファームウエアには、メモリカードの動作制御のプログラム、無線通信部２７の制御プログラムなどが記録されている。
【００２７】
制御部２４は、デジタルカメラ１のＣＰＵ９と通信したり、メモリカード２１内全体の制御を行うが、メモリ２２の残容量検出やＲＯＭ２５からのプログラム読出し、ＲＡＭ２６へのプログラムの書き込み制御や、また無線通信部２７の使用状態の制御、通信制御等も行う。
【００２８】
無線通信部２７は、制御部２４により制御され、電源供給や、使用可能な状態と使用不可能な状態とに制御される。この無線通信部２７は例えばＩＥＥＥ８０２．１１ワーキンググループにより策定された８０２．１１ｂ、８０２．１１ａ、８０２．１１ｇなどの無線通信方式や、Ｂｌｕｅｔｏｏｏｏｔｈ（ＴＭ）などの無線通信方式が用いられる。制御部２４の制御の下、外部の無線通信デバイスと通信を確立したり、外部の無線通信デバイスに記録されている画像データを取得要求の信号を送出する。この無線通信部２７はインターフェース２３を介してデジタルカメラ１から受け取る画像データを外部の無線通信デバイスへ送信することが可能である。
【００２９】
このような構成のメモリカード２１を用いることで、デジタルカメラ１で撮影した画像データの保存および、外部の無線通信デバイスとの間でデータの送受信を行うことが可能となる。
【００３０】
図３に第１の実施形態に係るシステムの構成図を示す。
【００３１】
デジタルカメラ１には着脱可能なメモリーカード２１が接続可能であり、このメモリーカード２１が有する無線通信部２７により無線通信デバイス３１と通信が可能である。この無線通信デバイス３１としては、例えばパーソナルコンピュータなどが考えられる。本実施形態では、パーソナルコンピュータの例を用いて説明する。
【００３２】
この外部の無線通信デバイス３１は大容量の記録デバイス（例えばハードディスク）３２と、メモリカード２１の無線通信部２７と通信可能な無線通信部とを有しており、デジタルカメラ２１から送信されるデータを前述の大容量の記録デバイスに蓄積することが可能である。
【００３３】
また、デジタルカメラ１から送信された画像データを、無線通信デバイス３１が有する表示部３３に表示可能である。また、デジタルカメラ１からメモリカード２１の無線通信部２７を介して、大容量の記録デバイスに蓄積されている画像データの取得要求があった場合に、デジタルカメラ１に装着されているメモリカード２１へ画像データを無線送信することが可能である。
【００３４】
デジタルカメラ１と無線通信デバイス３１とは、無線通信を開始する際に固有情報（例えば無線通信部のＭＡＣアドレス）により互いのデバイスを認識する。無線通信デバイス３１は、画像データの保存の際に上述のＩＤと関連付けて保存し、デジタルカメラ１からデータの取得要求があった場合には、ＩＤの照合を行い、ＩＤが一致しない機器に対してはデータ送信を行わない制御も可能である。
【００３５】
次に図４に第１の実施形態に係る外部の無線通信デバイス３１のハードウェア構成図を示す。
【００３６】
この無線通信デバイス３１は、無線通信デバイス３１全体の制御を司るＣＰＵ３４と、ＣＰＵ３４により処理されるデータの記憶デバイスであるメインメモリ３５と、ＣＰＵ３４により処理されたデータを表示するＬＣＤ３３と、不揮発性の大容量記録デバイスであるＨＤＤ３２と、メモリカード２１が有する無線通信部２７と無線通信可能な無線通信部３７とを有する。
【００３７】
ＣＰＵ３４は、無線通信デバイス３１全体の動作制御およびメインメモリ３５のデータに基づいてプログラムやデータ処理等を実行するものである。
【００３８】
メインメモリ３５は、ＣＰＵ３４により実行されるプログラムを記憶する。本実施形態では、デジタルカメラ１で撮影された画像データの保存処理などを行うソフトウェア３６を記憶している。
【００３９】
ソフトウェア３６は、メモリカード２１から送信される画像データをＨＤＤ３２に保存したり、この無線通信デバイス３１ＬＣＤ３３に表示させたり画像データの処理を行なう制御プログラムである。
【００４０】
ＨＤＤ３２は、無線通信デバイス３１が有する不揮発性の大容量記録デバイスであり、メモリカード２１から送られる画像データを保存することが可能である。
【００４１】
無線通信部３７は、メモリカード２１の無線通信部２７と無線通信が可能であり、例えばＩＥＥＥ８０２．１１ワーキンググループにより策定された８０２．１１ｂ、８０２．１１ａ、８０２．１１ｇなどの無線通信方式や、Ｂｌｕｅｔｏｏｏｏｔｈ（ＴＭ）などの無線通信方式が用いられる。メモリカード２１との通信開始の際の通信接続処理や、メモリカード２１からＨＤＤ３２に保存されている画像データの取得要求を受信した場合など、ソフトウェア３６と連動してＨＤＤ３２から画像データを読出しメモリカード２１へ送信する制御なども行う。
【００４２】
次に図５にデジタルカメラのＲＯＭに記録されているファームウェアに基づく動作制御設定例の図を示す。
【００４３】
図５に示すようなウインドウ４１は、メモリカード２１のファームウェアの一つとしてＲＯＭ２５に記録されておりＣＰＵ９に読み出されてデジタルカメラ１が有する表示部１２に表示される。
【００４４】
このファームウェアはデジタルカメラ１で撮影した画像データの保存・記録に関する設定を行うものである。
【００４５】
例えば、撮影した画像データをメモリカード２１が有するメモリ２２に記録するカード記録優先モード４２、撮影した画像データを無線通信部２７を介して無線通信デバイス３１へ送信する外部記録優先モード４３、撮影した画像データをメモリ２２に保存し、且つ無線通信部２７を介して無線通信デバイス３１へ送信する併用モード４４の選択が可能である。
【００４６】
また各モードには、動作設定が選択されたか否かを示すマーク４５、４６、４７が表示され、その中で使用者に選択されたモードを示す目印として、マーク４５のように黒丸で表示される。選択の際は、デジタルカメラ１の操作部１１を操作して選択を行う。
【００４７】
続いて図６乃至図８を用いて、上述の各モード設定時の処理について説明する。
【００４８】
図６にカード記録優先モード４２が選択された場合の撮影時の処理フローチャートを示す。
【００４９】
デジタルカメラ１により撮影が行われると、カード記録優先モード４２が設定されている場合、メモリカード２１内のメモリ２２の残量を検出する（ステップＳ１０１）。メモリ２２の容量が、撮影された画像データを保存する分、残っている場合（ステップＳ１０２のＹＥＳ）、メモリ２２へ保存する（ステップＳ１０３）。
【００５０】
一方メモリ２２の容量が、撮影された画像データを保存する分、残っていない場合（ステップＳ１０２のＮＯ）、制御部２４は無線通信部２７への電源供給を開始し、無線通信可能状態へ移行させる（ステップＳ１０４）。
【００５１】
通信可能状態となった無線通信部２７は、外部に通信可能な無線通信デバイスが存在するか否か確認する。例えば問合せ信号（インクワイアリ：ｉｎｑｕｉｒｙ）を送信し、応答があるか否かを判断する。通信可能な無線通信デバイスが存在する場合（ステップＳ１０５のＹＥＳ）、そのデバイスへ撮影した画像データを送信する（ステップＳ１０６）。
【００５２】
通信可能な無線通信デバイスが存在しない場合（ステップＳ１０５のＮＯ）、表示部１２にメモリ容量が足りないことと通信可能な無線通信デバイスが存在しない旨表示する。
【００５３】
またステップＳ１０２においてメモリ容量が足りないと判断された場合（ステップＳ１０２のＮＯ）に、表示部１２にメモリ容量が足りない旨表示し、無線通信可能な電子機器へ画像データを送るか否かの問合せ画面を表示しても良い。この場合、使用者によって、画像データを無線通信可能な電子機器へ送信しても良い旨の指示が出された場合にのみ、ステップＳ１０４の処理へ移行する。
【００５４】
次に図７に外部記録優先モード４３が選択された場合の撮影時の処理フローチャートを示す。
【００５５】
デジタルカメラ１により撮影が行われると、外部記録優先モード４３が設定されている場合、制御部２４は無線通信部２７への電源供給を開始し、無線通信可能状態へ移行させる（ステップＳ２０１）、通信可能状態となった無線通信部２７は、外部に通信可能な無線通信デバイスが存在するか否か確認する。例えば問合せ信号（インクワイアリ：ｉｎｑｕｉｒｙ）を送信し、応答があるか否かを判断する。通信可能な無線通信デバイスが存在する場合（ステップＳ２０２のＹＥＳ）、通信可能な無線通信デバイスへ撮影した画像データを送信する（ステップＳ２０３）。
【００５６】
一方、通信可能な無線通信デバイスが存在しない場合（ステップＳ２０２のＮＯ）、メモリカード２１内のメモリ２２の残量を検出し、メモリ２２の容量が、撮影された画像データを保存することが可能な残量がある場合（ステップＳ２０４のＹＥＳ）、メモリ２２へ保存する（ステップＳ２０５）。
【００５７】
一方メモリ２２の容量が、撮影された画像データを保存することが可能な残量ない場合（ステップＳ２０４のＮＯ）、表示部１２に通信可能な無線通信デバイスが存在しないこととメモリ容量が足りない旨表示する（ステップＳ２０６）。
【００５８】
またステップＳ２０２において無線通信可能な無線通信デバイスが存在しないと判断された場合（ステップＳ２０２のＮＯ）に、表示部１２に無線通信可能な無線通信デバイスが存在しない旨表示し、メモリ２２へ画像データを保存するか否かの問合せ画面を表示部１２に表示しても良い。この場合、使用者によって、画像データをメモリ２２へ保存するとの指示があった場合にのみ、ステップＳ２０４の処理へ移行する。
【００５９】
続いて図８に併用モード４４が選択された場合の撮影時の処理フローチャートを示す。
【００６０】
デジタルカメラ１により撮影が行われると、併用モード４４が設定されている場合、画像データをバッファメモリ７に保存し（ステップＳ３０１）、メモリカード２１内のメモリ２２の残量を検出する。メモリ２２の容量が、撮影された画像データを保存する分、残っている場合（ステップＳ３０２のＹＥＳ）、メモリ２２へ保存する（ステップＳ３０３）。
【００６１】
続いて、制御部２４は無線通信部２７への電源供給を開始し、無線通信可能状態へ移行させる（ステップＳ３０４）。通信可能状態となった無線通信部２７は、外部に通信可能な無線通信デバイスが存在するか否か確認する。例えば問合せ信号（インクワイアリ：ｉｎｑｕｉｒｙ）を送信し、応答があるか否かを判断する。通信可能な無線通信デバイスが存在する場合（ステップＳ３０５のＹＥＳ）、通信可能な無線通信デバイスへ撮影した画像データを送信する（ステップＳ３０６）。
【００６２】
一方メモリ２２の容量が、撮影された画像データを保存する分、残っていない場合（ステップＳ３０２のＮＯ）、表示部１２にメモリ容量が足りない旨表示する（ステップＳ３０７）。メモリが足りない旨表示した後、図示のように無線通信部２７を使用可能状態にすべくステップＳ３０４へ移行しても良い。
【００６３】
また通信可能な無線通信デバイスが存在しない場合（ステップＳ３０５のＮＯ）、表示部１２に通信可能な無線通信デバイスが存在しない旨表示する（ステップＳ３０８）。
【００６４】
上述のように第１の実施形態ではメモリカード内のファームウェアに基づき、メモリカードを用いて電子機器で生成されたデータをメモリカードに保存すること及び無線通信可能な無線通信デバイスへデータ送信することが可能である。
【００６５】
続いて第２の実施形態について説明する。
【００６６】
第２の実施形態では、デジタルカメラで撮影した時にその画像データをメモリカードに記録するか、外部の無線通信デバイスへ送信するか否かを設定することが可能である。
【００６７】
図９にデジタルカメラで撮影された際の表示部への表示例の図を示す。
【００６８】
撮影された画像データはＣＣＤ３、Ａ／Ｄ変換回路４、ＣＣＤ信号処理回路５で処理された後、メモリコントローラ６を介して表示部１２に表示される。表示部１２には、撮影された画像データ５１と、画像データ５１の下方に「保存」ボタン５２と、「データ送信」ボタン５３とが表示される。
【００６９】
「保存」ボタン５２は、撮影した画像データ５１をメモリ２２へ保存する際に操作される。操作部１１を操作し、「保存」ボタン５２を選択することにより、表示部１２に表示されている画像データ５１はメモリ２２に保存される。
【００７０】
また「データ送信」ボタン５３は、撮影した画像データを外部の通信可能な無線通信デバイスへ送信する際に操作される。操作部１１を操作し、「データ送信」ボタン５３を選択することにより、表示部１２に表示されている画像データ５１は無線通信デバイスへ送信される。
【００７１】
図１０に第２の実施形態に係る撮影時の画像データの処理フローチャートを示す。
【００７２】
デジタルカメラ１により撮影された場合、ＣＣＤ３、Ａ／Ｄ変換回路４、ＣＣＤ信号処理回路５等により画像データの処理が行われ（ステップＳ４０１）、図８のように表示部１２に画像データが表示されるとともにに「保存」ボタン５２と、「データ送信」ボタン５３とが表示される。（ステップＳ４０２）。
【００７３】
ここで、「保存」ボタン５２が押された場合（ステップＳ４０３の保存ボタン）、メモリカード２１内のメモリ２２の残量を検出し（ステップＳ４０４）、メモリ２２の容量が、撮影された画像データを保存する分、残っている場合（ステップＳ４０５のＹＥＳ）、メモリ２２へ保存する（ステップＳ４０６）。
【００７４】
一方メモリ２２の容量が、撮影された画像データを保存する分、残っていない場合（ステップＳ４０５のＮＯ）、表示部１２にメモリ容量が足りない旨表示する（ステップＳ４０７）。
【００７５】
一方、「データ送信」ボタン５３が押された場合（ステップＳ４０３のデータ送信ボタン）、制御部２４は無線通信部２７への電源供給を開始し、無線通信可能状態へ移行させる（ステップＳ４０８）。通信可能状態となった無線通信部２７は、外部に無線通信デバイスが存在するか否か確認する。例えば問合せ信号（インクワイアリ：ｉｎｑｕｉｒｙ）を送信し、応答があるか否かを判断する。何らかの応答があり通信可能な無線通信デバイスが存在すると判断された場合（ステップＳ４０９のＹＥＳ）、通信可能な無線通信デバイスへ撮影した画像データを送信する（ステップＳ４１０）。
【００７６】
通信可能な無線通信デバイスが存在しない場合（ステップＳ４０９のＮＯ）、表示部１２に通信可能な無線通信デバイスが存在しない旨表示する（ステップＳ４１１）。
【００７７】
上述のように、撮影時にメモリカードへ保存するか無線通信デバイスへ送信するか選択可能とすることで、撮影した画像に応じて、適宜画像データの保存先を切り替えることが可能である。
【００７８】
また、図１１に第２の実施形態に係るメモリカードに保存されているデータの表示例の図を示す。
【００７９】
メモリカード２１のメモリ２２に保存されている画像データは図１１に示すように一覧形式で表示が可能である。
【００８０】
使用者は操作部１１を操作することにより、画像データ５６、５７、５８、５９を選択可能であり、選択された画像データは画像データ５９のように黒太枠６０により、選択されたことが識別できるように表示する。
【００８１】
また、画像の一覧表示の下方に「データ送信」ボタン６１と「データ取得」６２が表示されている。「データ送信」ボタン６１は、メモリ２２に保存されている画像データのうち、上述した操作により選択された画像データを無線通信デバイスへ送信することを指示するボタンである。「データ取得」ボタン６２は、表示されている画像データの選択如何に関わらず、無線通信デバイスに保存されている画像データの取得要求を発信し、無線通信デバイスから取得した画像データを表示部１２に表示する。
【００８２】
図１２にメモリカードに保存されているデータ処理のフローチャートを示す。
【００８３】
メモリカード２１のメモリ２２に保存されている画像データを読出し（ステップＳ５０１）、表示部１２に一覧表示を行なう（ステップＳ５０２）。
【００８４】
ここで、「データ送信」ボタン６１が押された場合（ステップＳ５０３のデータ送信ボタン）、制御部２４は無線通信部２７への電源供給を開始し、無線通信可能状態へ移行させる（ステップＳ５０４）。通信可能状態となった無線通信部２７は、外部に通信可能な無線通信デバイスが存在するか否か確認する。例えば問合せ信号（インクワイアリ：ｉｎｑｕｉｒｙ）を送信し、応答があるか否かを判断する。何らかの応答があり通信可能な無線通信デバイスが存在すると判断した場合（ステップＳ５０５のＹＥＳ）、通信可能な無線通信デバイスへ選択した画像データを送信する（ステップＳ５０６）。通信可能な無線通信デバイスが存在しない場合（ステップＳ５０５のＮＯ）、表示部１２に通信可能な無線通信デバイスが存在しない旨表示する（ステップＳ５０７）。
【００８５】
一方、「データ取得」ボタン６２が押された場合（ステップＳ５０３のデータ取得ボタン）、制御部２４は無線通信部２７への電源供給を開始し、無線通信可能状態へ移行させる（ステップＳ５０８）。通信可能状態となった無線通信部２７は、外部に通信可能な無線通信デバイスが存在するか否か確認する。例えば問合せ信号（インクワイアリ：ｉｎｑｕｉｒｙ）を送信し、応答があるか否かを判断する。何らかの応答があり通信可能な無線通信デバイスが存在すると判断した場合（ステップＳ５０９のＹＥＳ）、通信可能な無線通信デバイスへ画像データの取得要求信号を送信する（ステップＳ５１０）。通信可能な無線通信デバイスから画像データを取得すると（ステップＳ５１１）、取得した画像データを表示部１２に一覧表示する（ステップＳ５１２）。通信可能な無線通信デバイスが存在しない場合（ステップＳ５０９のＮＯ）、表示部１２に通信可能な無線通信デバイスが存在しない旨表示する（ステップＳ５１３）。
【００８６】
上述のように第２の実施形態では上述のメモリカードを用いることで、撮影した際に画像データの保存先を画像データに応じて選択することが可能である。また既にメモリカードに記録されているデータに対してもデータを送信することが可能である。
【００８７】
上述の実施形態では、無線通信デバイスとしてパソコンのような形態の機器を例示したが、これ以外にもアクセスポイントなどインターネット回線に接続する機器でもよい。この場合、アクセスポイントと無線通信を行い、アクセスポイントからインターネットを介して遠隔地にあるパソコンとのデータ送受信を行うことも可能である。
【００８８】
続いて第３の実施形態について説明する。
【００８９】
上述の実施形態ではメモリカード２１はデジタルカメラ１内に収容される利用形態であるが、第３の実施形態ではメモリカード２１に例えばＵＳＢ（Ｕｎｉｖｅｒｓａｌ  Ｓｅｒｉａｌ  Ｂｕｓ）等の外部インターフェース回路を内蔵し、ＵＳＢケーブルを介してデジタルカメラ１などと接続可能としてもよい。
【００９０】
図１３に第３の実施形態に係る電子機器システムのハードウェア構成図を示す。
【００９１】
図１及び図２と異なる点は、デジタルカメラ１及びメモリカード２１夫々にＵＳＢケーブル７１を接続可能とするＵＳＢインターフェース７２、７３を設けた点である。
【００９２】
この実施形態ではメモリカード２１はカードスロット１０に挿入しても良いし、ＵＳＢケーブル７１によって接続されても良い。デジタルカメラ１及びメモリカード２１のハードウェアの動作等については第１及び第２の実施形態と同様であるため説明は省略する。
【００９３】
デジタルカメラ１とメモリカード２１との間の画像データの受け渡しはＵＳＢケーブル７１を介して行われる。
【００９４】
上述の第３の実施形態では、メモリカード２１を挿入するスロットが無い機器に対してもＵＳＢ等の外部インターフェースを用いて接続可能とすることで、様々な機器で使用可能となる。
【００９５】
当然ＵＳＢケーブル７１で接続された場合でも第１の実施形態と第２の実施形態で説明した画像データの処理は同様に行われる。
【００９６】
次に第４の実施形態について説明する。
【００９７】
第４の実施形態ではメモリカード２１に電源を設け、デジタルカメラ１からの電源供給を不要とする例である。
【００９８】
図１４に第４の実施形態に係るメモリカードのハードウェア構成図を示す。
【００９９】
電源８１は制御部と接続され、インターフェース２３を介してデジタルカメラと接続された場合に、メモリカード２１内のデバイスへ電源供給を行う。この電源は乾電池、太陽電池、充電池などを用いることが可能である。
【０１００】
また複数色で発光可能なＬＥＤ８２が設けられており、メモリカード２１の電源８１によって電源供給を受けている場合は、緑色に発光され、デジタルカメラ１からの電源供給を受けている場合には赤色で発光する。
【０１０１】
このＬＥＤ８２はデジタルカメラ１と接続された場合でも、デジタルカメラ１外部に露出する位置に設けられ、メモリカード２１がデジタルカメラ１に装着された場合でも視認可能である。
【０１０２】
このようにメモリカード２１内に電源を設けたことで、デジタルカメラ１のバッテリ消費量を低減することが可能である。また本実施径庭においても、第１の実施形態と第２の実施形態で説明した画像データの処理は同様に行われる。
【０１０３】
以上、述べた実施形態では、デジタルカメラを用いる例について説明したが、画像データ以外にも音声などを録音可能なレコーダーなどにも適用可能である。
【０１０４】
以上、詳述したように本発明では、メモリデバイスの記録容量に関係なく電子機器でデータの生成を行い記録することが可能な電子機器システム及びメモリデバイスを提供することが可能である。
【０１０５】
【発明の効果】
以上詳述した発明によれば、メモリデバイスの記録容量に関係なく電子機器でデータの生成を行い記録することが可能な電子機器システム及びメモリデバイスを提供することが可能である。
【図面の簡単な説明】
【図１】第１の実施形態に係る電子機器のハードウェア構成図。
【図２】第１の実施形態に係るメモリカードのハードウェア構成図。
【図３】第１の実施形態に係るシステムの構成図。
【図４】第１の実施形態に係る無線通信デバイスのハードウェア構成図。
【図５】ファームウェアに基づく動作制御設定例の図。
【図６】カード記録優先モードが選択された場合の撮影時の処理フローチャート。
【図７】外部記録優先モードが選択された場合の撮影時の処理フローチャート。
【図８】併用モードが選択された場合の撮影時の処理フローチャート。
【図９】デジタルカメラで撮影された際の表示部への表示例の図。
【図１０】第２の実施形態に係る撮影画像データの処理フローチャート。
【図１１】第２の実施形態に係るメモリカードに保存されているデータの表示例の図。
【図１２】デジタルカメラのデータ処理のフローチャート。
【図１３】第３の実施形態に係る電子機器システムのハードウェア構成図。
【図１４】第４の実施形態に係るメモリカードのハードウェア構成図。
【符号の説明】
１…デジタルカメラ
６…メモリコントローラ
９…ＣＰＵ
１０…メモリカードスロット
１２…表示部
２１…メモリカード
２２…メモリ
２４…制御部
２５…ＲＯＭ
２６…ＲＡＭ
２７…無線通信部
３１…無線通信デバイス
３２…ＨＤＤ
３３…ＬＣＤ
３７…無線通信部
７２、７３…ＵＳＢインターフェース
８１…電源
８２…ＬＥＤ
【図１】
2004357182.tif 000003
【図２】
2004357182.tif 000004
【図３】
2004357182.tif 000005
【図４】
2004357182.tif 000006
【図５】
2004357182.tif 000007
【図６】
2004357182.tif 000008
【図７】
2004357182.tif 000009
【図８】
2004357182.tif 000010
【図９】
2004357182.tif 000011
【図１０】
2004357182.tif 000012
【図１１】
2004357182.tif 000013
【図１２】
2004357182.tif 000014
【図１３】
2004357182.tif 000015
【図１４】
2004357182.tif 000016